(57)【要約】【解決手段】触媒により浄化を行うセラッミクを有する消臭消煙体７を備えたケース１には消臭消煙体７対する入口管２と出口管１０とを設け、入口管２と出口管１０とには開口面積を調節し得る開閉弁３，１２を設けている。出口管１０に接続した排気管１１には排気ファン１３を設け、排気ファン１３に接続した空気供給管１４には開口面積を調節し得る開閉弁１５を設けている。【効果】消臭消煙体７の温度管理を排気の導入量及び導出量の調節により行い得るようにして消臭消煙体７の処理能力を向上させることができる。【選択図】図１
2012011346.tif 000002
【特許請求の範囲】
【請求項１】
触媒により浄化を行うセラッミクを有する消臭消煙体を備えたケースにはこの消臭消煙体に対する入口と出口とを設け、この入口と出口とには開口面積を調節し得る開閉体を設けたことを特徴とする消臭消煙装置。
【請求項２】
前記出口に接続した排気管には出口の開閉体より下流側で排気ファンを設け、この排気ファンに接続した空気供給管には開口面積を調節し得る開閉体を設けたことを特徴とする請求項１に記載の消臭消煙装置。
【請求項３】
前記入口とケースの消臭消煙体との間には排気が通るヒータを設けたことを特徴とする請求項１または請求項２に記載の消臭消煙装置。
【請求項４】
前記ケースの消臭消煙体は複数の分割体を入口と出口との間で積層したものであることを特徴とする請求項１または請求項２または請求項３に記載の消臭消煙装置。
【請求項５】
前記入口には入口の開閉体より下流側で空気導入管を接続し、この空気導入管には開口面積を調節し得る開閉体を設けたことを特徴とする請求項１から請求項４のうちいずれか一つの請求項に記載の消臭消煙装置。
【発明の詳細な説明】
【技術分野】
【０００１】
本発明は、触媒により浄化を行うセラッミクを主体とする消臭消煙体により焼却炉などからの排気を処理する消臭消煙装置に関するものである。
【背景技術】
【０００２】
従来、下記特許文献１にかかる焼却炉では、有機物の熱分解処理に燃料や電気を使わず、ダイオキシン類の発生を抑えかつ排出ガス処理に燃料や水を使わないセラッミク消臭消煙装置が開示されている。
【先行技術文献】
【特許文献】
【０００３】
【特許文献１】特開２００９−１８３９３２号公報
【発明の概要】
【発明が解決しようとする課題】
【０００４】
しかし、上記特許文献１では、各セラッミク処理容器内の温度管理を行い得ないため、消臭消煙能力を維持及び向上させることが難しい。
この発明は、触媒により浄化を行うセラッミクを有する消臭消煙体の温度管理を排気の導入量及び導出量の調節により行い得るようにして消臭消煙体の処理能力を向上させることを目的としている。
【課題を解決するための手段】
【０００５】
後記実施形態の図面（図１に示す実施形態）の符号を援用して本発明を説明する。
請求項１の発明にかかる消臭消煙装置において、触媒により浄化を行うセラッミクを有する消臭消煙体７を備えたケース１にはこの消臭消煙体７に対する入口２と出口１０とを設け、この入口２と出口１０とには開口面積を調節し得る開閉体３，１２を設けた。請求項１の発明では、入口２への排気の導入量を開閉体３により調節することができるとともに、出口１０からの排気の導出量を開閉体１２により調節することができ、ケース１の消臭消煙体７の触媒温度を例えば３８０〜６９０℃に調節し易い。従って、ケース１の消臭消煙体７の温度管理を排気の導入量及び導出量の調節により行うことができる。
【０００６】
請求項１の発明を前提とする請求項２の発明において、前記出口１０に接続した排気管１１には出口１０の開閉体１２より下流側で排気ファン１３を設け、この排気ファン１３に接続した空気供給管１４には開口面積を調節し得る開閉体１５を設けた。請求項２の発明では、開閉体１５を調節して空気供給管１４から導入した空気により排気ファン１３を熱上昇による損傷から防ぐことができる。
【０００７】
請求項１または請求項２の発明を前提とする請求項３の発明において、前記入口２とケース１の消臭消煙体７との間には排気が通るヒータ４を設けた。請求項３の発明では、ヒータ４により、入口２から導入されてケース１の消臭消煙体７に至る排気の水分を除去することができる。
【０００８】
請求項１または請求項２または請求項３の発明を前提とする請求項４の発明において、前記ケース１の消臭消煙体７は複数の分割体８を入口２と出口１０との間で積層したものである。請求項４の発明では、ケース１の消臭消煙体７における各分割体８の処理能力を互いに変更して処理効率を良くすることができる。
【０００９】
請求項１から請求項４のうちいずれか一つの請求項の発明を前提とする請求項５の発明において、前記入口２には入口２の開閉体３より下流側で空気導入管５を接続し、この空気導入管５には開口面積を調節し得る開閉体５ａを設けている。請求項５の発明では、消臭消煙体７の温度調節をより一層行い易くなって、消臭消煙体７の処理能力を向上させることができる。
【００１０】
次に、請求項以外の技術的思想について実施形態の図面の符号を援用して説明する。
請求項１から請求項５のうちいずれか一つの請求項の発明を前提とする第６の発明において、前記消臭消煙体７は、浄化触媒塊９を多数収容して各浄化触媒塊９間に多数の通路９ａを生じさせたものであって、この浄化触媒塊９は、浄化触媒材を含んで、通路断面積が互いに異なる多数の気孔９ｂにより三次元網目構造をなす気孔群を有し、その気孔群における各気孔９ｂを表面に露出させて開放したものである。第６の発明では、消臭消煙体７の処理能力を向上させることができる。
【００１１】
請求項１から請求項５のうちいずれか一つの請求項の発明、または第６の発明を前提とする第７の発明においては、浄化触媒材を含んで、通路断面積が互いに異なる多数の気孔９ｂにより三次元網目構造をなす気孔群を有し、その気孔群における各気孔９ｂを表面に露出させて開放した浄化触媒塊９を、多数収容して、各浄化触媒塊９間に多数の通路９ａを生じさせた消臭消煙体１７を、前記入口２の開閉体３より下流側で入口２に設置し、その入口２にはこの消臭消煙体１７に対する入口側で磁気空気供給管１８を接続している。第７の発明では、炭化水素を主成分とするコールタールや木タールや石油タールなどの油状物質を除去することができる。
【００１２】
請求項１から請求項５のうちいずれか一つの請求項の発明、または第６の発明または第７の発明を前提とする第８の発明においては、浄化触媒材を含んで、通路断面積が互いに異なる多数の気孔９ｂにより三次元網目構造をなす気孔群を有し、その気孔群における各気孔９ｂを表面に露出させて開放した浄化触媒塊９を、多数収容して、各浄化触媒塊９間に多数の通路９ａを生じさせた消臭消煙体１７を、前記出口１０の開閉体１２と排気ファン１３との間で排気管１１に設置し、その排気管１１にはこの消臭消煙体１７に対する入口側で磁気空気供給管１８を接続している。第８の発明では、炭化水素を主成分とするコールタールや木タールや石油タールなどの油状物質を除去することができる。
【発明の効果】
【００１３】
本発明は、触媒により浄化を行うセラッミクを有する消臭消煙体７を備えたケース１においてその消臭消煙体７の温度管理を排気の導入量及び導出量の調節により行い得るようにして消臭消煙体７の処理能力を向上させることができる。
【図面の簡単な説明】
【００１４】
【図１】（ａ）は本実施形態にかかる消臭消煙装置を概略的に示す断面図であり、（ｂ）は消臭消煙体における浄化触媒塊の集合体を示す模式図であり、（ｃ）はその浄化触媒塊を示す模式図である。
【発明を実施するための形態】
【００１５】
以下、本発明の一実施形態にかかる消臭消煙装置について図面を参照して説明する。
ケース１は底壁１ａと周壁１ｂと天壁１ｃとにより筒状をなしている。この底壁１ａに接続された入口管２（入口）には、焼却炉の排気管（図示せず）が接続されて排気が導入されるとともに、開口面積を調節してその排気の導入量を調節し得る開閉弁３（開閉体）が取り付けられている。このケース１内で底壁１ａ上にはヒータ４が設けられている。このヒータ４内には蛇行通路４ａが設けられて入口管２からの排気がこの蛇行通路４ａを通る。このヒータ４と開閉弁３との間で入口管２には空気導入管５が接続されてこの空気導入管５から入口管２に空気を導入することができる。この空気導入管５には開口面積を調節してその排気の導入量を調節し得る開閉弁５ａ（開閉体）が取り付けられている。なお、ケース１の各壁１ａ，１ｂ，１ｃは内外二重壁構造をなし、各壁１ａ，１ｂ，１ｃの内側に室６が設けられている。
【００１６】
このケース１内でヒータ４と天壁１ｃとの間には消臭消煙体７が設けられている。この消臭消煙体７は上下方向へ互いに積層された複数の分割体８を備えている。各分割体８において、箱８ａ内には５〜２０ｍｍの砂利状に形成されて大小種々の外形状をなす浄化触媒塊９（セラミック塊）が多数収容され、各浄化触媒塊９間に多数の通路９ａを生じさせている。この浄化触媒塊９は、浄化触媒材を含んで、通路断面積が互いに異なる多数の気孔９ｂにより三次元網目構造をなす気孔群を有し、その気孔群における各気孔９ｂを表面に露出させて開放したものである。前記ヒータ４の蛇行通路４ａは最下の分割体８に連通しているとともに、各分割体８間も互いに連通し、入口管２からの排気はヒータ４を経て最下の分割体８から順次上側の分割体８に至る。ちなみに、サイズの異なる多数の焼却可能片（紙などを撚ったもの）をセラミック原料に混ぜた後、そのセラミック原料を焼却して多数の焼却可能片を消滅させるとともにセラミックを残存させることにより、浄化触媒塊９を製造する。       
【００１７】
前記ケース１の天壁１ｃに接続された出口管１０（出口）には、前記消臭消煙体７から排気が導出される排気管１１が接続されているとともに、開口面積を調節してその排気の導出量を調節し得る開閉弁１２（開閉体）が取り付けられている。この排気管１１にはこの開閉弁１２より下流側で排気ファン１３が取り付けられている。この排気ファン１３で排気管１１に空気供給管１４が接続されている。この空気供給管１４には開口面積を調節して排気ファン１３への空気の導入量を調節し得る開閉弁１５（開閉体）が取り付けられている。この排気管１１には排気ファン１３より下流側に二次燃焼室１６が設けられている。
【００１８】
前記入口管２には触媒により浄化を行うセラッミクを有する消臭消煙体１７が入口管２の開閉弁３より下流側で着脱可能に取り付けられている。前記空気導入管５はこの入口管２の消臭消煙体１７とヒータ４との間で入口管２に接続されている。前記排気管１１には触媒により浄化を行うセラッミクを有する消臭消煙体１７が出口管１０の開閉弁１２と排気ファン１３との間で着脱可能に取り付けられている。これらの消臭消煙体１７には前記ケース１の消臭消煙体７と同様に浄化触媒塊９（セラミック塊）が多数収容されている。この入口管２及び排気管１１にはこの消臭消煙体１７に対する入口側で磁気空気供給管１８が接続されている。この磁気空気供給管１８においては、ファン１９や開閉弁２０を介して入口管２及び排気管１１に供給される空気に永久磁石２１により強力な磁気を発生させることができ、ファン１９や開閉弁２０などの調節により供給空気量を変更することができる。
【００１９】
入口管２の開閉弁３を通った排気は、消臭消煙体１７を通り、空気導入管５からの空気を導入してヒータ４に至る。ヒータ４の蛇行通路４ａを通った排気は、ケース１の消臭消煙体７の各分割体８を通って出口管１０に至る。ケース１の消臭消煙体７における最上の分割体８から出口管１０に至った排気は、排気管１１で開閉弁１２と消臭消煙体１７と排気ファン１３と二次燃焼室１６とを通って排出される。空気供給管１４から空気は開閉弁１５を通って排気ファン１３に導入される。
【００２０】
本実施形態は下記の効果を有する。
（１）  焼却炉の排気管（図示せず）から入口管２に導入される排気の量や温度は、廃棄物の種類や焼却条件に応じて種々異なるため、消臭消煙体７の浄化触媒塊９の処理能力に応じて、入口管２にある開閉弁３により、入口管２への排気の導入量を調節することができ、消臭消煙体７の触媒温度を例えば３８０〜６９０℃に調節し易い。その際、空気導入管５から入口管２に空気を導入すれば、より一層その温度調節を行い易い。従って、消臭消煙体７の処理能力を向上させることができる。
【００２１】
（２）  消臭消煙体７の浄化触媒塊９の処理能力に応じて、出口管１０にある開閉弁１２により、出口管１０からの排気の導出量を調節することができ、消臭消煙体７の触媒温度を例えば３８０〜６９０℃に調節し易い。従って、消臭消煙体７の処理能力を向上させることができる。
【００２２】
（３）  入口管２にある開閉弁３と出口管１０にある開閉弁１２とが相俟って、消臭消煙体７内における排気の滞留時間を調節することができ、消臭消煙体７の触媒温度を例えば３８０〜６９０℃に調節し易い。従って、消臭消煙体７の処理能力を向上させることができる。
【００２３】
（４）  開閉弁１５を調節して空気供給管１４から導入した空気により、排気管１１にある排気ファン１３を熱上昇による損傷から防ぐことができる。
（５）  排気管１１に設けた二次燃焼室１６により、排気の温度を８００℃以上に上げて排出し、ダイオキシンなどの化学物質の発生を抑えることができる。
【００２４】
（６）  ヒータ４により、入口管２から導入されて消臭消煙体７に至る排気の水分を除去することができる。その際、排気を蛇行通路４ａに通して排気とヒータ４との接触時間を長くすることにより、排気の水分をより一層除去することができる。なお、触媒温度が３８０℃以上になると、ヒータ４を停止してもよい。
【００２５】
（７）  複数の分割体８で積層した消臭消煙体７としたため、各分割体８の処理能力を互いに変更することができる。例えば、最下の分割体８には触媒で処理できない硫黄も処理することができる処理剤を入れ、上側の分割体８ほどサイズの小さい浄化触媒塊９を入れて処理効率を良くする。
【００２６】
（８）  消臭消煙体７の浄化触媒塊９は５〜２０ｍｍの砂利状に形成されているため、浄化触媒塊９の集合体間の複雑な通路９ａを化学物質が流れるとともに、浄化触媒塊９内で通路断面積が互いに異なる気孔９ｂにも化学物質が入り、化学物質との接触面積が広がって処理能力を高めることができる。また、消臭消煙体７では、各浄化触媒塊９間の通路９ａと浄化触媒塊９内の気孔９ｂとの通路断面積の差により、その通路９ａ、その気孔９ｂのうち通路断面積の大きいもの、同じく通路断面積の小さいものの順で、排気が通り、その通路９ａと気孔９ｂとによる処理に時間的差が生じて、それらの相乗効果により目詰まりすることなく処理することができる。浄化触媒塊９を製造する場合、パラジウム、白金、ロジウム、アルミナ−セリア、ジルコニアなどをそれぞれ単一でまたは互いに組み合わせて付着して乾燥及び焼成させる。また、黒曜石を焼いたものや、Ｍｏ、Ｌｉ、Ｚｎ、Ｃｕ、Ｎｉ、Ｃｏ、Ｍｎ、ＭｇＯ、Ｆｅ203、ＴｉＯ２、ＣａＯ、Ｎａ20、Ｋ２Ｏ、Ａｌ203、ＳｉＯ２など自然に含み、１０００℃で燃焼した焼却パーライトのみの使用でも、臭いや煙などを除去することができる。この場合は３８０℃の熱を加えなくても処理できる。
【００２７】
（９）  しかも、入口管２及び排気管１１にある消臭消煙体１７に対する入口側で磁気空気供給管１８から入口管２及び排気管１１に供給される磁気空気や、ファン１９や開閉弁２０などの調節による供給空気量の変更により、炭化水素を主成分とするコールタールや木タールや石油タールなどの油状物質を除去することができる。
【００２８】
（１０）  ケース１の周りに設けた室６に入れた水を浄化触媒塊９の熱やヒータ４の熱により暖めて各種用途に利用することができる。
前記実施形態以外にも例えば下記のように構成してもよい。
・  前記実施形態においてヒータ４を省略してもよい。
・  前記実施形態において消臭消煙体７を複数の分割体８に分けることなく一つ箱に浄化触媒塊９の集合体を収容してもよい。
・  前記実施形態において二次燃焼室１６を省略してもよい。
【符号の説明】
【００２９】
１…ケース、２…入口管（入口）、３…開閉弁（開閉体）、４…ヒータ、５…空気導入管、５ａ…開閉弁（開閉体）、７…消臭消煙体、８…消臭消煙体の分割体、９…浄化触媒塊、９ａ…通路、９ｂ…気孔、１０…出口管（出口）、１１…排気管、１２…開閉弁（開閉体）、１３…排気ファン、１４…空気供給管、１５…開閉弁（開閉体）、１６…二次燃焼室、１７…消臭消煙体。
【図１】
2012011346.tif 000003